(57)【要約】【課題】  水又は温水を取り扱う浴室やシャワー室等の外側に配管スペースが無い場合であっても、排水管及び給湯管を接続して使用されるミストサウナ装置等を容易に設置できるようにする。【解決手段】  水又は温水を取り扱う浴室の管路構造において、水又は温水を流すために室の内壁面１０１ｇに沿って設けられた管路２００と、管路２００上を被覆するＵ形状のパイプカバーユニット２０１とを備えるものである。この構成によって、水又は温水を取り扱う浴室内における管路２００を隠蔽できるので、当該浴室内の美的外観を維持できるようになる。これにより、水又は温水を取り扱う浴室１０１の外側に配管スペースが無い場合であっても、排水管及び給湯管を接続して使用されるミストサウナ装置等を容易に設置できるようになる。【選択図】        図２
2007132579.tif 000002
【特許請求の範囲】
【請求項１】
水又は温水を取り扱う室の管路構造において、
前記水又は温水を流すために前記室の内壁面に沿って設けられた管路と、
前記管路上を被覆する所定形状の被覆部材とを備えることを特徴とする管路構造。
【請求項２】
前記被覆部材は、
前記室の内壁側面又は内壁角部に取り付けられることを特徴とする請求項１に記載の管路構造。
【請求項３】
前記管路は、
前記水を流す排水管又は温水を流す給湯管であることを特徴とする請求項１に記載の管路構造。
【請求項４】
前記被覆部材と外観を同一とする被覆部材を備えることを特徴とする請求項１に記載の管路構造。
【請求項５】
前記被覆部材は、
前記室の内壁面に沿って取り付けられ、前記管路を固定する固定基板部材と、
前記固定基板部材に取り付けられた管路上を覆うカバー部材とを有することを特徴とする請求項１に記載の管路構造。
【請求項６】
前記固定基板部材の所定の方向に沿って被係合部が設けられ、
前記カバー部材の所定の方向に沿って係合部が設けられ、
前記カバー部材の係合部を前記固定基板部材の被係合部に嵌合することにより、前記カバー部材が前記固定基板部材に取り付けられることを特徴とする請求項５に記載の管路構造。
【請求項７】
水又は温水を取り扱う室の管路構造において、
前記水又は温水を流すために前記室の壁面内に埋設された管路と、
前記管路の一端に設けられた第１の管路接続口と、
前記管路の他端に設けられた第２の管路接続口とを備えることを特徴とする管路構造。
【請求項８】
前記管路を使用しない場合に、前記第１及び第２の管路接続口に終端止め部材が係合されることを特徴とする請求項７に記載の管路構造。
【請求項９】
給湯器と、
前記給湯器より供給される温水の管路を切換える管路切換えユニットと、
前記管路切換えユニットが設けられ、水又は前記温水が取り扱われる室に取り付けられた請求項１乃至８に記載の管路構造とを備えたことを特徴とする給湯システム。
【請求項１０】
所定の管路構造を有して水又は温水が取り扱われる室において、
前記請求項１乃至８に記載の管路構造を備えたことを特徴とする室。
【発明の詳細な説明】
【技術分野】
【０００１】
この発明は、給湯器より供給される温水を噴出するミストサウナ装置に適用して好適な管路構造、給湯システム及びこれらを備えた室に関する。詳しくは、水又は温水を取り扱う室の内面に沿って設けられた管路上を被覆する被覆部材を備え、その室内における管路を隠蔽できるようにすると共に、当該室内の美的外観を維持できるようにして、水又は温水を取り扱う室の外側に配管スペースが無い場合であっても、排水管や給湯管等を接続して使用されるミストサウナ装置等を容易に設置できるようにしたものである。
【背景技術】
【０００２】
従来より、温水をミストとして浴室内へ噴出したり、浴室内の暖房を行うミストサウナ装置等と称される装置が提案されている（例えば、特許文献１参照）。
【０００３】
ミストサウナ装置は、単数もしくは複数のミストノズルを浴室の壁面等に備え、給湯器から供給された温水をミストにして浴室内に噴出するものである。
【０００４】
【特許文献１】特公平６−５９３０１号公報
【発明の開示】
【発明が解決しようとする課題】
【０００５】
ところで、従来例に係るミストサウナ装置によれば、特許文献１に見られるようなミストサウナ装置を既存の組立式の浴室ユニットに設置しようとした場合、住宅の外壁内面と、当該浴室ユニットの外面の間を排水用の配管設置スペースとする施工方法が採られる。
【０００６】
しかし、十分な配管配置スペースが確保できないと、ミストサウナ装置を設置できないという問題がある。特に、高層住宅等において、水回りの区画が制限されていたり、既存の組立式の浴室ユニットを改築してミストサウナ装置を設置しようとした場合に、その外側に配管スペースが確保されていないことから、その施工が困難となる場合がある。このような場合には、浴室の内側に管路等を露出して配管する工法を採るようになされるが、使用者にとって違和感を与えるおそれがある。
【０００７】
そこで、本発明は、上述の課題に鑑み創作されたものであり、水又は温水を取り扱う室の外側に配管スペースが無い場合であっても、排水管及び給湯管を接続して使用されるミストサウナ装置等を容易に設置できるようにした管路構造、給湯システム及び室を提供することにある。
【課題を解決するための手段】
【０００８】
上述した課題を解決するため、本発明に係る第１の管路構造は、水又は温水を取り扱う室の管路構造において、水又は温水を流すために室の内面に沿って設けられた管路と、管路上を被覆する所定形状の被覆部材とを備えることを特徴とするものである。
【０００９】
本発明に係る第１の管路構造によれば、水又は温水を取り扱う室の内面に沿って管路が設けられる。この管路は、その上が所定形状の被覆部材により被覆されて、水又は温水を流すようになされる。従って、水又は温水を取り扱う室内における管路を隠蔽できるので、当該室内の美的外観を維持できるようになる。
【００１０】
本発明に係る第２の管路構造は、水又は温水を取り扱う室の管路構造において、水又は温水を流すために室の壁面内に埋設された管路と、この管路の一端に設けられた第１の管路接続口と、管路の他端に設けられた第２の管路接続口とを備えることを特徴とするものである。
【００１１】
本発明に係る第２の管路構造によれば、水又は温水を取り扱う室の壁面内に管路が埋設され、その管路の一端には第１の管路接続口が設けられ、その管路の他端には第２の管路接続口が設けられる。従って、第１及び第２の管路接続口に排水管や、給湯管等を接続してミストサウナ装置等を容易に設置できるようになる。しかも、水又は温水を取り扱う室内の壁面内に管路が隠蔽されているので、当該室内の美的外観を維持できるようになる。
【００１２】
本発明に係る給湯システムは、給湯器と、この給湯器より供給される温水の管路を切換える管路切換えユニットと、この管路切換えユニットが設けられ、水又は温水が取り扱われる室に取り付けられた、本発明に係る第１又は第２の管路構造とを備えることを特徴とするものである。
【００１３】
本発明に係る給湯システムによれば、本発明の第１又は第２の管路構造が備えられるので、水又は温水を取り扱う室内における管路を隠蔽することができる。従って、当該室内の美的外観を維持できるようになり、水又は温水を取り扱う室の外側に配管スペースが無い場合であっても、排水管及び給湯管を接続して使用されるミストサウナ装置等を容易に設置できるようになる。
【００１４】
本発明に係る室は、所定の管路構造を有して水又は温水が取り扱われる室において、本発明に係る第１、第２の管路構造及び給湯システムを備えることを特徴とするものである。
【００１５】
本発明に係る室によれば、本発明の第１又は第２の管路構造及び給湯システムを備えられるので、水又は温水を取り扱う室内における管路を隠蔽できる。従って、当該室内の美的外観を維持できるようになる。
【発明の効果】
【００１６】
本発明に係る第１の管路構造によれば、水又は温水を取り扱う室の内面に沿って設けられた管路上を被覆する所定形状の被覆部材を備えるものである。
【００１７】
この構成によって、水又は温水を取り扱う室内における管路を隠蔽できるので、当該室内の美的外観を維持できるようになる。従って、水又は温水を取り扱う室の外側に配管スペースが無い場合であっても、排水管及び給湯管を接続して使用されるミストサウナ装置等を容易に設置できるようになる。
【００１８】
本発明に係る第２の管路構造によれば、水又は温水を取り扱う室の壁面内に管路が埋設され、その管路の一端には第１の管路接続口が設けられ、その管路の他端には第２の管路接続口が設けられるものである。
【００１９】
この構成によって、第１及び第２の管路接続口に排水管や、給湯管等を接続してミストサウナ装置等を容易に設置できるようになる。しかも、水又は温水を取り扱う室内の壁面内に管路が隠蔽されているので、当該室内の美的外観を維持できるようになる。従って、水又は温水を取り扱う室の外側に配管スペースを特別に設ける必要がない。
【００２０】
本発明に係る給湯システムによれば、本発明の第１又は第２の管路構造が備えられるので、水又は温水を取り扱う室内における管路を隠蔽することができる。
【００２１】
この構成によって、当該室内の美的外観を維持できるようになり、水又は温水を取り扱う室の外側に配管スペースが無い場合であっても、排水管及び給湯管を接続して使用されるミストサウナ装置等を容易に設置できるようになる。
【００２２】
本発明に係る室によれば、本発明の第１又は第２の管路構造及び給湯システムが備えられるので、水又は温水を取り扱う室内における管路を隠蔽できる。従って、当該室内の美的外観を維持できるようになる。従って、水又は温水を取り扱う室の外側に配管スペースが無い場合であっても、排水管及び給湯管を接続して使用されるミストサウナ装置等を容易に設置できるようになる。
【発明を実施するための最良の形態】
【００２３】
以下、図面を参照しながら、この発明の実施の形態に係る管路構造、給湯システム及びこれらを備えた室について説明をする。  
図１は、本発明に係る第１の実施形態としての管路構造＃１の配置例を示す斜視図である。  
図１に示す第１の管路構造＃１は、水又は温水を取り扱う室、例えば、浴室やシャワー室等における露出配管を隠蔽する構造である。この管路構造＃１は、例えば、給湯器より供給される温水を噴出するミストサウナ装置等に適用して好適である。
【００２４】
この実施の形態で、水又は温水を流すための管路２００が室の一例を構成する浴室１０１やシャワー室等の内面に沿って設けられる。これは、浴室１０１等の外面に管路２００が設けられない場合があるためである。例えば、高層住宅等において、水回りの区画が制限されていたり、既存の組立式の浴室等にミストサウナ装置を設置しようとした場合に、その外側に配管スペースが確保されておらずその施工ができない場合がある。このような場合には、浴室の内側に管路２００の一例を構成する給湯管（給水配管）や排水管（ドレン配管）等を配管する工法を採るようになされる。
【００２５】
排水管として使用する管路２００は、例えば、当該管路構造＃１をミストサウナ装置に適用する場合、給湯器より供給される温水の温度が所定の値に達するまで、管路内の水をドレンパン等に流す際に使用される。排水管には、直径１０ｍｍφ乃至２０ｍｍφ程度の塩化ビニールパイプ、ステンレスパイプ、銅パイプ、黄銅パイプ等が使用される。
【００２６】
給湯管として使用する管路２００は、図示しない給湯器より供給される温水を管路切換えユニットを通じて噴出ノズル等に流す際に使用される。給湯管には、直径１０ｍｍφ乃至２０ｍｍφ程度の銅パイプや黄銅パイプ等が使用される。排水管や給湯管用のパイプは直管式でも蛇腹式でもどちらでもよい。
【００２７】
管路２００は、例えば、管路切換えユニットを浴室の天井裏面に配置する場合、室内の内壁面１０１ｇに沿って、天井から床面（ドレンパン）に至る部分に設置される。管路２００の引き下げ位置（垂直にパイプを下した位置）は、床面で排水口へ水を導く溝部（ドレン）１０１ｆ又はこの近辺とすることが望ましい。溝部１０１ｆは、例えば、浴室内に設けられた浴槽１０１ｂの手前に配置されている場合が多い。
【００２８】
なお、管路２００の引き下げ位置が溝部１０１ｆから離れた場合は、その引き下げ位置から溝部１０１ｆに至る部分に、管路２００を横方向に設置するようにしてもよい。また、横方向への管路２００を天井裏面又は天井表面で調整するように管路２００を設置するようにしてもよい。
【００２９】
この例では、浴室の天井表面やその内壁面１０１ｇに露出した、排水管や給湯管（管路２００）上を被覆部材の一例を構成する所定形状のパイプカバーユニット２０１で被覆するようになされる。
【００３０】
図２は、パイプカバーユニット２０１の構成例を示す断面図である。図２に示すパイプカバーユニット２０１は、固定基板部材２１１及びカバー部材２１２を有して構成される。
【００３１】
固定基板部材２１１は、浴室内の内面に沿って取り付けられ、管路２００を含むカバー部材２１２を固定するようになされる。固定基板部材２１１は、例えば、樹脂を射出金型成型装置で断面逆さπ形状に成形して形成される。固定基板部材２１１は、浴室の壁面１０１ｇに例えば、両面接着部材で接着される。もちろん、これに限られることはなく、固定基板部材２１１は、パイプと共にサドル等のパイプ取り付け金物を使用して壁面１０１ｇにネジ止めするようにしてもよい。
【００３２】
カバー部材２１２は、断面がＵ形状を有しており、固定基板部材２１１に取り付けられた管路上を覆うようになされる。カバー部材２１２は、例えば、樹脂を射出金型成型装置で断面Ｕ形（半円形）状に成形して形成される。この例で、固定基板部材２１１の長手方向には、その方向に沿って凹状の被係合部１２１，１２２が設けられ、カバー部材２１２の長手方向には、同様にして凸状の係合部１２３，１２４が設けられる。このような係合構造で、カバー部材２１２の係合部１２３を固定基板部材２１１の被係合部１２１に、同様にして、その係合部１２４を被係合部１２２に、各々嵌合することにより、カバー部材２１２が固定基板部材２１１に取り付けられる。
【００３３】
パイプカバーユニット２０１の色は、目立たないようにするため、浴室内の壁面１０１ｇと同系色とすることが好ましい。もちろん、これに限られることはなく、浴室内の壁面デザインと融合する色や、そのデザインと調和する色であってもよい。例えば、浴室壁面に「椰子の木」がデザインされた場合に、カバー部材２１２をその椰子の木の樹木部分に融合する色とするような積極的な使用方法が考えられる。
【００３４】
図３Ａ〜Ｃは、パイプカバーユニット２０１の組立例を示す工程図である。
【００３５】
まず、図３Ａに示す断面逆さπ形状の固定基板部材２１１を浴室１０１の壁面１０１ｇに取り付ける。例えば、図示しない両面接着部材で接着する。両面接着部材にはニチバン社製の両面テープが使用できる。このとき、両面接着部材を貼付する壁面１０１ｇ、すなわち、被接着面から塵埃等を除去しておく。もちろん、これに限られることはなく、ＳＵＳ製の鉄板ビスや皿ネジ等を使用して固定基板部材２１１を壁面１０１ｇにネジ止めするようにしてもよい。
【００３６】
次に、排水管や給湯管等となる管路（パイプ）２００の長さを調整する。その後、図３Ｂに示すような管路２００を固定基板部材２１１に固定する。この場合、図中、二点鎖線で示すように、サドル１２５等のパイプ取り付け金物を使用して壁面１０１ｇにネジ１２６，１２７を使用してネジ止めする。管路２００を固定基板部材２１１に固定しないで、カバー部材２１２で押え込む工法を採用する場合は、この時点で、管路２００を固定基板部材２１１に位置合わせして次に進む。
【００３７】
そして、図３Ｃに示すような断面Ｕ形状のカバー部材２１２を固定基板部材２１１に取り付ける。このとき、固定基板部材２１１の長手方向に沿って設けられた凹状の被係合部１２１，１２２に、カバー部材２１２の長手方向に沿って設けられた凸状の係合部１２３，１２４を嵌合するようになされる。これにより、図２に示したような隠蔽式の第１の管路構造＃１が完成する。
【００３８】
このように、本発明に係る第１の実施形態としての管路構造＃１によれば、水又は温水を取り扱う浴室１０１の内面に沿って排水管や給湯管等となる管路２００が設けられる。この管路２００は、断面Ｕ形状のパイプカバーユニット２０１により被覆されて、水又は温水を流すようになされる。
【００３９】
従って、水又は温水を取り扱う浴室内における管路２００を隠蔽できるので、当該浴室内の美的外観を維持できるようになる。これにより、浴室１０１の外側に配管スペースが無い場合であっても、排水管及び給湯管を接続して使用されるミストサウナ装置等を容易に設置できるようになる。
【００４０】
図４は、第２の実施形態としての管路構造＃２におけるパイプカバーユニット２０１′の構成例を示す断面図である。
【００４１】
この実施形態では、管路構造＃２において、カバー部材２１２′の形状が断面Ｕ形状から半八角形状に置き代わったものである。管路構造＃２は、管路構造＃１で固定基板部材２１１にカバー部材２１２′を取り付けたものをいう。図４に示すパイプカバーユニット２０１′は、固定基板部材２１１及びカバー部材２１２′を有して構成される。なお、第１の実施の形態と同じ名称及び同じ符号のものは同じ機能を有するのでその説明を省略する。
【００４２】
図５Ａ〜Ｃは、パイプカバーユニット２０１′の組立例を示す工程図である。まず、図５Ａに示す固定基板部材２１１を浴室１０１の壁面１０１ｇに取り付ける。例えば、図示しない両面接着部材で接着する。両面接着部材にはニチバン社製の両面テープが使用できる。このとき、両面接着部材を貼付する壁面１０１ｇ、すなわち、被接着面から塵埃等を除去しておく。もちろん、これに限られることはなく、皿ネジ等を使用して固定基板部材２１１を壁面１０１ｇにネジ止めするようにしてもよい。
【００４３】
次に、排水管や給湯管等となる管路（パイプ）２００の長さを調整する。その後、図５Ｂに示すような管路２００を固定基板部材２１１に固定する。この場合、図中、二点鎖線で示すように、サドル１２５等のパイプ取り付け金物を使用して壁面１０１ｇにネジ１２６，１２７を使用してネジ止めする。管路２００を固定基板部材２１１に固定しないで、カバー部材２１２で押え込む工法を採用する場合は、この時点で、管路２００を固定基板部材２１１に位置合わせして次に進む。
【００４４】
そして、図５Ｃに示すような断面半八角形状のカバー部材２１２′を固定基板部材２１１に取り付ける。このとき、固定基板部材２１１の長手方向に沿って設けられた凹状の被係合部１２１，１２２に、カバー部材２１２′の長手方向に沿って設けられた凸状の係合部１２３，１２４を嵌合するようになされる。これにより、図４に示したような隠蔽式の第２の管路構造＃２が完成する。
【００４５】
このように、本発明に係る第２の実施形態としての管路構造＃２によれば、水又は温水を取り扱う浴室１０１の内面に沿って管路２００が設けられる。この管路２００は、断面八角形状のパイプカバーユニット２０１′により被覆されて、水又は温水を流すようになされる。
【００４６】
従って、水又は温水を取り扱う浴室内における管路２００を隠蔽できるので、当該浴室内の美的外観を維持できるようになる。これにより、浴室１０１の外側に配管スペースが無い場合であっても、排水管及び給湯管を接続して使用されるミストサウナ装置等を容易に設置できるようになる。
【００４７】
しかも、断面Ｕ形状のカバー部材２１２と断面半八角形状のカバー部材２１２′との固定基板部材２１１が共通部品となされているので、設置者の好みに応じてカバー部材２１２又はカバー部材２１２′を適宜、付け替えることができる。例えば、四季に応じてカバー部材を代えることができる。
【００４８】
図６は、第３の実施形態としての管路構造＃３におけるダミーカバー部材３０１，３０２の配置例を示す斜視図である。  
図６に示す管路構造＃３におけるダミーカバー部材３０１，３０２は、ダミー被覆部材の一例を構成し、パイプカバーユニット２０１と外観を同一とするものである。この例で、ダミーカバー部材３０１，３０２は、図１に示したパイプカバーユニット２０１の両側の壁面に取り付けられる（図６参照）。ダミーカバー部材３０１，３０２には、パイプカバーユニット２０１がそのまま応用される。
【００４９】
この例では、ダミーカバー部材３０１，３０２は、パイプカバーユニット２０１内に管路２００が内包されていない空のままの状態で使用される。もちろん、これに限られることはなく、管路２００の代わりに、棒状の発泡部材を内部に入れておくようにしてもよい。また、ダミーカバー部材３０１、３０２は、Ｕ形状のパイプカバーユニットに代えて、第２の実施形態で説明した半八角形状のパイプカバーユニットであってもよい。なお、第１及び第２の実施形態と同じ名称及び同じ符号のものは同じ機能を有するのでその説明を省略する。
【００５０】
このように、第３の実施形態としての管路構造＃３によれば、水又は温水を取り扱う浴室１０１の内壁面に沿って管路２００が設けられると、その管路２００には、Ｕ形状のパイプカバーユニット２０１で隠蔽され、更に、そのパイプカバーユニット２０１の両側の壁面には、ダミーカバー部材３０１，３０２が設けられる。
【００５１】
従って、浴室１０１の内面中央部に取り付けられたパイプカバーユニット２０１の見た目凸状感を左右のダミーカバー部材３０１，３０２に分散できるので、デザイン的に見て、当該浴室内の美的外観を維持できるようになる。これにより、水又は温水を取り扱う浴室１０１の外側に配管スペースが無い場合であっても、排水管及び給湯管を接続して使用されるミストサウナ装置等を容易に設置できるようになる。
【００５２】
図７は、第４の実施形態としての管路構造＃４の配置例を示す斜視図である。
【００５３】
図７に示す第４の管路構造＃４は、水又は温水を取り扱う浴室１０１やシャワー室等の角部（隅部）１０１ｈで露出配管を隠蔽する構造である。この管路構造＃４では、管路２００が、例えば、管路切換えユニットを浴室の天井裏面に配置する場合、浴室内の角部１０１ｈに沿って、天井からドレンパン１０１ｃに至る部分に設置される。管路２００の引き下げ位置は、床面の角部１０１ｈとなるので、引き下げ位置から溝部１０１ｆに至る部分に、管路２００を横方向に設置するようにしてもよい。
【００５４】
この実施形態でも、浴室１０１の角部１０１ｈに露出する、排水管や給湯管（管路２００）上を被覆部材の一例を構成する扇形状のパイプカバーユニット４０１で被覆するようになされる。
【００５５】
図８は、パイプカバーユニット４０１の構成例を示す断面図である。図８に示すパイプカバーユニット４０１は、断面Ｌ形状の固定基板部材４１１及び断面扇形状のカバー部材４１２を有して構成される。
【００５６】
固定基板部材４１１は、浴室内の角部１０１ｈに沿って取り付けられ、管路２００を含むカバー部材４１２を固定するようになされる。固定基板部材４１１は、例えば、樹脂を射出金型成型装置で断面Ｌ（アングル；９０°）状に成形して形成される。固定基板部材４１１は、浴室の壁面１０１ｇに例えば、両面接着部材で接着される。もちろん、これに限られることはなく、固定基板部材４１１は、パイプと共にサドル等のパイプ取り付け金物を使用して壁面１０１ｇにネジ止めするようにしてもよい。
【００５７】
カバー部材４１２は、断面が扇形状（開脚Ω状）を有しており、固定基板部材４１１に取り付けられた管路上を覆うようになされる。カバー部材４１２は、例えば、樹脂を射出金型成型装置で扇状に成形して形成される。この例で、固定基板部材４１１の長手方向には、その方向に沿って凹状の被係合部１４１，１４２が設けられ、カバー部材４１２の長手方向には、同様にして凸状の係合部１４３，１４４が設けられる。このような係合構造で、カバー部材４１２の係合部１４３を固定基板部材４１１の被係合部１４１に、同様にして、その係合部１４４を被係合部１４２に、各々嵌合することにより、カバー部材４１２が固定基板部材４１１に取り付けられる。
【００５８】
パイプカバーユニット４０１の色は、第１の実施形態と同様にして、目立たないようにするため、浴室内の壁面１０１ｇと同系色とすることが好ましい。もちろん、これに限られることはなく、浴室内の壁面デザインと融合する色や、そのデザインと調和する色であってもよい。
【００５９】
図９Ａ〜Ｃは、パイプカバーユニット４０１の組立例を示す工程図である。まず、図９Ａに示す断面Ｌ形状の固定基板部材４１１を浴室１０１の角部１０１ｈに取り付ける。例えば、図示しない両面接着部材で固定基板部材４１１を浴室１０１の角部１０１ｈに接着する。このとき、両面接着部材を貼付する壁面１０１ｇ、すなわち、被接着面から塵埃等を除去しておく。もちろん、これに限られることはなく、ＳＵＳ製の鉄板ビスや、皿ネジ等を使用して固定基板部材４１１を角部１０１ｈにネジ止めするようにしてもよい。
【００６０】
次に、排水管や給湯管等となる管路（パイプ）２００の長さを調整する。その後、図９Ｂに示すような管路２００を固定基板部材４１１に固定する。この例では、管路２００を固定基板部材４１１に固定しないで、カバー部材４１２で押え込む工法を採用する。この時点で、管路２００を固定基板部材４１１に位置合わせして次に進む。
【００６１】
そして、図９Ｃに示すような扇状のカバー部材４１２を固定基板部材４１１に取り付ける。このとき、固定基板部材４１１の長手方向に沿って設けられた凹状の被係合部１４１，１４２に、カバー部材４１２の長手方向に沿って設けられた凸状の係合部１４３，１４４を嵌合するようになされる。これにより、図８に示したような隠蔽式の第４の管路構造＃４が完成する。
【００６２】
このように、本発明に係る第４の実施形態としての管路構造＃４によれば、水又は温水を取り扱う浴室１０１の角部１０１ｈに沿って排水管や給湯管等となる管路２００が設けられる。この管路２００は、断面扇形状のパイプカバーユニット４０１により被覆されて、水又は温水を流すようになされる。
【００６３】
従って、水又は温水を取り扱う浴室内における、引き下げ用の管路２００をその角部１０１ｈで隠蔽できるので、当該浴室内の美的外観を維持できるようになる。これにより、水又は温水を取り扱う浴室１０１の外側に配管スペースが無い場合であっても、排水管及び給湯管を接続して使用されるミストサウナ装置等を容易に設置できるようになる。
【００６４】
図１０は、第５の実施形態としての管路構造＃５の配置例を示す斜視図である。この実施形態の管路構造＃５は、水又は温水を取り扱う、組立式の浴室１０１やシャワー室等の管路構造であって、その壁面部材１０１ｇ′内に管路が予備管（リザーブパイプ２００′）として埋設されるものである。これはミストサウナ装置等をオプション販売する場合であって、浴室１０１やシャワー室を既に設置し、その後、ミストサウナ装置の需要があってそれを設置するような場合を考慮したときに、いつでもリザーブパイプ２００′を給水（湯）配管２ａやドレン配管（排水管）２ｃとして使用できるようにしたものである。
【００６５】
図１０に示す壁面部材１０１ｇ′内には、リザーブパイプ２００′の一例となる給水配管２ａやドレン配管２ｃが埋設される。これらの給水配管２ａやドレン配管２ｃが埋設された壁面部材１０１ｇ′は、他の壁面部材１０１ｇと組み合わせて、浴室１０１やシャワー室を組立てるようになされる。上述の給水配管２ａは、例えば、ミストサウナ装置の管路切換えユニットを天井裏面に配置した場合に、図示しない給湯器からの温水を流すために、給湯ユニットに組み入れるように使用される。ドレン配管２ｃは同様にして、給湯器からの温水が所定の温度に到達するまで、水を排水するために、当該ユニットに組み入れるように使用される。
【００６６】
給水配管２ａの一端には第１の管路接続口２２１が設けられ、その他端には、第２の管路接続口２２３が設けられている。同様にして、ドレン配管２ｃの一端には管路接続口２２５が設けられ、その他端には、管路接続口２２７が設けられている。この例で、両側の管路接続口２２１，２２３を保護するために終端止め部材が係合される。
【００６７】
終端止め部材には、例えば、キャップ形状を有した袋ナット２２２，２２４又は止めボルトが使用される。袋ナット２２２は、管路接続口２２１や２２３等が雄ネジ構造の場合に適用される。終端止めボルトは、管路接続口２２１や２２３等が雌ネジ構造の場合に適用される。ドレン配管２ｃにつても、同様な袋ナット２２６，２２８が適用される。なお、リザーブパイプ２００′の材質は、第１の実施形態で説明した管路２００と同じものが使用できるので、その説明を省略する。
【００６８】
図１１Ａ及びＢは、ドレン配管２ｃの取扱例（不使用時）を示す正面図及び断面図である。  
この実施形態では、ミストサウナ装置の管路切換えユニットを浴室１０１の天井裏面１０１ｉに配置可能なように構成される場合を想定してリザーブパイプ２００′が壁面部材１０１ｇ′内に組み入れられた管路構造＃５を有している。この壁面部材１０１ｇ′の搬送途中や、そのリザーブパイプ２００′を浴室組立後にも、使用しない場合は、管路接続口２２１，２２３，２２５，２２７に袋ナットが係合されて、これら管路内部に異物が入り込まないようにする共に、両端の管路接続口２２１，２２３，２２５，２２７を保護するように取り扱われる。
【００６９】
上述のリザーブパイプ２００′を構成する、例えば、図１１Ａに示すドレン配管２ｃは、浴室１０１のドレンパン１０１ｃの溝部１０１ｆ上に位置するように設計（埋設）されている。室内用の袋ナット２２８は、図１１Ｂに示すように浴室内壁に露出するドレン配管２ｃの管路接続口２２７に取り付けられる。
【００７０】
また、天井裏用の袋ナット２２６は、浴室１０１の天井裏面１０１ｉに露出するドレン配管２ｃの管路接続口２２５に取り付けられる。これにより、壁面部材１０１ｇ′の搬送途中や、そのリザーブパイプ２００′を浴室組立後にも使用しない場合に、これら管路内部への異物の進入を防止できる共に、両端の管路接続口２２５、２２７を保護できるようになる。
【００７１】
図１２Ａ及びＢは、ドレン配管２ｃの取扱例（使用時）を示す正面図及び断面図である。
【００７２】
この実施形態では、ミストサウナ装置の管路切換えユニット２０２を浴室の天井裏面１０１ｉに配置し、ドレン配管２ｃをその排水管として使用する場合を想定している。
【００７３】
図１２Ａに示す浴室内でドレン配管２ｃには、排水口部材２３１が取り付けられる。例えば、図１１Ａに示した室内用の袋ナット２２８を緩めて、管路接続口２２７から袋ナット２２８を取り外す。次に、袋ナット２２８に代えて、排水口部材２３１を取り付ける。排水口部材２３１は、浴室１０１のドレンパンの溝部１０１ｆ上に位置するように調整する。
【００７４】
また、天井裏面１０１ｉでドレン配管２ｃには、管路接続部材２３２の一端が取り付けられる。例えば、図１１Ａに示した天井裏用の袋ナット２２６を緩めて、管路接続口２２５から袋ナット２２８を取り外す。次に、袋ナット２２８に代えて、管路接続部材２３２を取り付ける。管路接続部材２３２には袋ナットを両側に有したジョイントが使用される。管路接続部材２３２の他端には管路切換えユニット２０２が接続される。これにより、壁面部材１０１ｇ′に埋設されたリザーブパイプ２００′のドレン配管２ｃを使用してミストサウナ装置を組み上げることができる。給湯配管２ａについてはその説明を省略する。
【００７５】
このように、本発明に係る第５の実施形態としての管路構造＃５によれば、水又は温水を取り扱う浴室１０１の壁面部材１０１ｇ′に給湯配管２ａ及びドレン配管２ｃを成すリザーブパイプ２００′が埋設され、そのドレン配管２ｃの一端には管路接続口２２５が設けられ、その他端には管路接続口２２７が設けられる。
【００７６】
従って、管路接続口２２５に管路切換えユニット２０２からの排水管を接続して容易にミストサウナ装置を設置できるようになる。しかも、水又は温水を取り扱う浴室内の壁面内に給湯配管２ａやドレン配管２ｃ等が隠蔽されているので、当該浴室内の美的外観を維持できるようになる。これにより、水又は温水を取り扱う浴室１０１の外側に配管スペースを特別に設ける必要がなくなる。
【実施例１】
【００７７】
図１３は、本発明に係る第１の実施例としての浴室システム１の構成例を示す断面の概念図である。
【００７８】
＜浴室システムの全体＞
図１３に示す浴室システム１は給湯システムの一例を構成し、本発明に係る第４の実施形態に係る管路構造＃４が応用される。この浴室システム１は、ミスト発生装置２、浴室空調装置３及びヒートポンプ式の給湯装置４を備えて構成されている。ミスト発生装置２は、浴室１０１の天井に配設され、霧状にした温水（ミスト）を浴室１０１内に噴出するようになされる。このミスト発生装置２は、給湯器や給水源等の一例を構成する給湯装置４より排出される温水又は水を利用してミスト又は霧状水を発生するものである。
【００７９】
ミスト発生装置２は、電磁弁ユニット２Ａ、電源部ユニット２Ｂ及びノズルユニット２Ｃから構成されている。電磁弁ユニット２Ａは管路切換えユニット２０２の一例を構成し、ユニット内部には複数の電磁弁が設けられ、給湯装置４より排出される温水又は給水管からの水の供給先を切換えるようになされる。電磁弁ユニット２Ａは浴室１０１の天井裏に置かれるが、浴室１０１の天井に有する点検口１０１ａの近傍に配設される。
【００８０】
電磁弁ユニット２Ａには、給湯装置４から排出される温水又は水の供給を受けるための給水（給湯）配管２ａと、ノズルユニット２Ｃに温水を供給するためのノズル配管２ｂと、温水を排水するためのドレン配管２ｃとが接続されている。
【００８１】
図１３に示すドレン配管２ｃは、図７に示した第４の管路構造＃４を成している。ドレン配管２ｃには、例えば、直径１０ｍｍφ乃至２０ｍｍφ程度の塩化ビニールパイプ、ステンレスパイプ、銅パイプ、黄銅パイプ等が使用される。この例で、浴室１０１の角部（隅部）１０１ｈで露出配管を隠蔽する構造となされている。この管路構造＃４では、ドレン配管２ｃが、浴室内の角部１０１ｈに沿って、天井からドレンパン１０１ｃに至る部分に設置される。ドレン配管２ｃの引き下げ位置は、ドレンパン１０１ｃの角部１０１ｈとなるので、引き下げ位置から溝部１０１ｆ（図示せず）に至る部分に、ドレン配管２ｃを横方向に設置するようにしてもよい。この例では、ドレン配管２ｃ上を扇形状のカバー部材４１２で被覆するようになされる。なお、パイプカバーユニット４０１の組立例については、図９Ａ〜Ｃを参照されたい。
【００８２】
この例で、ドレン配管２ｃの開放端は、浴槽１０１ｂの下面に配置されたドレンパン１０１ｃに対向するようにされる。ここで、給水配管２ａは第１の温水路を構成し、ノズル配管２ｂは第２の温水路を構成し、ドレン配管２ｃは第３の温水路を構成している。
【００８３】
また、磁弁ユニット２Ａには、制御手段の一例を構成する電源部ユニット２Ｂが接続されている。電源部ユニット２Ｂにはミスト操作部７が接続される。電源部ユニット２Ｂは、電磁弁ユニット２Ａと同様にして、浴室１０１の天井裏に配置され、当該ユニット内に設けられた複数の電磁弁をミスト操作部７からの操作指令に基づいて開閉制御を実行する。電磁弁ユニット２Ａにはノズルユニット２Ｃが接続され、浴室内に向けて配置されるノズルを備え、温水又は水によるミストを噴出するようになされる。ノズルユニット２Ｃは例えば、天井表面に取り付けられる。
【００８４】
浴室空調装置３も浴室１０１の天井に配設され、浴室１０１の暖房や換気等が行われる。浴室空調装置３の熱源として、当該浴室空調装置３に内蔵した電気ヒータが利用される。浴室空調装置３には換気ダクト８が接続され、この換気ダクト８には換気グリル８ａが接続される。換気グリル８ａは、排気口を有しており、浴室外部に排気口を向けて取り付けられる。
【００８５】
上述の電磁弁ユニット２Ａには、給湯装置４が接続され、冷媒ガスを圧縮して得られる熱源を利用して水を温めるようになされる。給湯装置４は、屋外に配置され、ミスト発生装置２及び浴室１０１等に温水を給湯し、又は水を供給するようになされる。給湯装置４からの温水は、洗面脱衣所１０２の洗面器の給湯栓１０２ａにも給湯される。
【００８６】
なお、ミスト発生装置２及び浴室空調装置３には、主操作部６及びミスト操作部７が接続され、これらの操作に基づいてミスト発生及び空調動作を実行する。主操作部６は、浴室空調装置３に内蔵された制御部（図１３には図示せず）に電気ケーブル６ａで接続されたリモートコントロール（遠隔制御）装置である。この主操作部６（以下、「空調リモコン６」という）は、洗面脱衣所１０２の壁に取り付けられている。ミスト操作部７は、電源部ユニット２Ｂに内蔵された制御部（図１３には図示せず）に電気ケーブル７ａで接続されたリモートコントロール装置である。このミスト操作部７（以下、「ミストリモコン７」という）は、浴室１０１の壁に取り付けられている。
【００８７】
また、浴室１０１内、例えば、浴室空調装置３のフロントパネル２６には、人体検出センサ６９Ａが取り付けられ、浴室利用者が浴室内に入室すると、それを検知して入室検知信号を出力するようになされる。この人体検出センサ６９Ａは、例えば赤外線センサを用いて構成されたものである（特開平１０−１４２３５１号公報参照）。
【００８８】
このように、管路構造＃４及び給湯システムを応用した浴室システム１が構成される（第１の室）。以下で、電磁弁ユニット２Ａの内部構成例及びその制御例について説明する。
【００８９】
＜電磁弁ユニット＞
図１４は、電磁弁ユニット２Ａの構成例を示す正面図である。図１４に示す電磁弁ユニット２Ａは筐体２Ａ′を有している。この例で、筐体２Ａ′の一側面を開放すると、電磁弁ユニット内の電磁弁の配置が見られる構成となされている。
【００９０】
筐体２Ａ′には、上述した給水配管２ａを接続するための接続部２ａ′と、同様にノズル配管２ｂを接続するための接続部２ｂ′と、ドレン配管２ｃを接続するための接続部２ｃ′とが取り付けられて固定されている。この例で、電磁弁ユニット２１Ａを基準面の置いたとき、基準面からの高さＨ１には接続部２ｃ′が取り付けられ、基準面から高さＨ２には接続部２ａが取り付けられ、基準面から高さＨ３には接続部２ｂ′が取り付けられている。三者の高さの関係は、Ｈ３＞Ｈ２＞Ｈ１である。すなわち、３つの接続部２ａ′〜２ｃ′は、接続部２ａ′、接続部２ｂ′、接続部２ｃ′の順に高い位置から取り付けられる。
【００９１】
この例で、筐体２Ａ′の内側において、接続部２ａ′には給水弁又は給湯弁の一例となる給水又は給湯用の電磁弁２ｄが取り付けられ、給湯装置４からの水又は温水を供給するようになされる。この電磁弁２ｄから分岐された一方の配管２ｊには、第１の弁の一例となるミストノズル用の電磁弁２ｅが取り付けられ、水又は温水をノズルユニット２Ｃへ供給するようになされる。電磁弁２ｅの下流側（他端）は接続部２ｂ′に取り付けられる。
【００９２】
電磁弁２ｅよりも低い位置には、排水弁となる第２の弁の一例となる電磁弁２ｆが配設されると共に、電磁弁２ｄから分岐された他方の配管２ｋに取り付けられ、水を排水するようになされる。電磁弁２ｆの下流側（他端）は接続部２ｃ′に取り付けられる。つまり、接続部２ａ′には電磁弁２ｄの一端が接続され、この電磁弁２ｄの他端には配管２ｊを介して電磁弁２ｅの一端が接続される。この電磁弁２ｅの他端は接続部２ｂ′に接続される。さらに、配管２ｊから分岐された配管２ｋは、電磁弁２ｆの一端に接続され、この電磁弁２ｆの他端には接続部２ｃ′が接続される。
【００９３】
これにより、高さＨ１の接続部２ｃ′に接続された電磁弁２ｆと、高さＨ２で接続部２ａ′に接続された電磁弁２ｄと、高さＨ３で接続部２ｂ′に接続された電磁弁２ｅとの三者の高さの関係をＨ３＞Ｈ２＞Ｈ１とすることができる。すなわち、３つの電磁弁を電磁弁２ｅ、電磁弁２ｄ及び電磁弁２ｆの順に高い位置から配設することができる。
【００９４】
なお、電磁弁ユニット２Ａの内部には、電磁弁２ｄ，２ｅ，２ｆの他に、温度検出センサ２ｈが配されている。温度検出センサ２ｈは、例えば、配管２ｊに取り付けられており、電磁弁２ｄを通過した後の配管２ｊを流れる水（温水）の温度を検出して温度検出信号Ｓ７を出力するようになされる。温度検出信号Ｓ７は、温度検出センサ２ｈから電源部ユニット２Ｂへ出力される。
【００９５】
＜電源部ユニット＞
上述した電磁弁２ｄ、電磁弁２ｅ及び電磁弁２ｆには、電源部ユニット２Ｂが接続され、これらの電磁弁を個々に開閉制御するようになされる。例えば、電磁弁ユニット２Ａでは、電磁弁２ｆが閉じられ、かつ、給湯装置４からの温水Ｉが電磁弁２ｅを通じて噴出されている状態において、ミストリモコン７から温水Ｉの供給停止があったとき、例えば、ミスト停止信号Ｓ７が入力されたとき、電磁弁２ｄを閉じた後に、電磁弁２ｆを開き、その後、電磁弁２ｅを閉じる制御を実行する。
【００９６】
図１５Ａ〜Ｃは、電磁弁ユニット２Ａの動作例を示す線図である。例えば、ミスト運転時は、図１５Ａに示す給湯用の電磁弁２ｄが開くことで、給水配管２ａ（図１３参照）からの温水Ｉが接続部２ａ′から電磁弁２ｄ及び配管２ｊを通じてミストノズル用の電磁弁２ｅに供給される。電磁弁２ｅを開くことで、温水Ｉが配管２ｊ、電磁弁２ｅ及び接続部２ｂ′を通じてノズル配管２ｂ（図１３参照）に供給される。温水Ｉはミストノズルユニット２Ｃから噴出される。このとき、排水用の電磁弁２ｆは閉じたままである。因みに、電磁弁２ｆを開けると、温水Ｉは配管２ｋ、電磁弁２ｆ及び接続部２ｃ′を通じてドレン配管２ｃ（図１３参照）に排水されてしまう。
【００９７】
また、ミスト運転停止後の排水制御時には、図１５Ｂに示す電磁弁２ｄを閉じる。次に、電磁弁２ｆを開けることで、接続管２ｂ′からの残水（温水）IIが、配管２ｊ及び２ｋを通じて電磁弁２ｆを通じて排水される。このとき、電磁弁２ｅは開いたままなので、接続管２ｂ′を通じて空気IIIを電磁弁２ｅ、配管２ｊ及び２ｋの内部に取り込むようになる。これにより、接続管２ｂ′、電磁弁２ｅ、配管２ｊ及び２ｋ内の残水IIを電磁弁２ｆを通じてドレンパン１０１ｃへ排出することができる。
【００９８】
この例では、所定時間後、例えば、３秒後にミストノズル用の電磁弁２ｅが閉じると共に、排水用の電磁弁２ｆを閉じるように制御される。これにより、図１５Ｃに示すように電磁弁ユニット内の全ての電磁弁２ｄ、２ｅ及び２ｆが閉じた状態となされる。次のミスト運転を待機するようになされる。
【００９９】
図１６は、電源部ユニット２Ｂにおける制御例を示すフローチャートである。この例では、電源部ユニット２Ｂの図示しない読出し専用メモリには、ミスト運転停止後の排水制御に係るプログラム（以下制御プログラムという）が記述され、そのプログラムの中で所定時間ｔ＝３秒が設定されている場合を例に挙げる。
【０１００】
これを制御条件にして、図１６に示すフローチャートのステップＳＴ１で電源部ユニット２Ｂは、停止命令を待機する。停止命令は、例えば、ミストリモコン７から電源部ユニット２Ｂへ、温水Ｉの供給停止を要求するミスト停止信号Ｓ７が出力することで通知される。
【０１０１】
電源部ユニット２Ｂは、ミスト停止信号Ｓ７を入力すると、制御プログラムに基づいてステップＳＴ２で給湯用の電磁弁２ｄ＝ＯＦＦする。例えば、図示しない電磁弁駆動部を通じて電磁弁２ｄに印加されていた所定の駆動電圧を０［Ｖ］にしてバルブを閉状態となされる。
【０１０２】
次に、電源部ユニット２Ｂは、制御プログラムに基づいてステップＳＴ３で排水用の電磁弁２ｆ＝ＯＮする。例えば、図示しない電磁弁駆動部を通じて電磁弁２ｄに所定の駆動電圧を印加してバルブを開状態となされる。その後、電源部ユニット２Ｂは、ステップＳＴ４でｔ時間（＝３秒）を経過したかを判別する。この例では、ｔ＝３秒を待ってステップＳＴ５に移行する。ｔ＝３秒を経過しない場合は、そのまま待機する。
【０１０３】
そして、電源部ユニット２Ｂは、ステップＳＴ５で、ミストノズル用の電磁弁２ｅ＝ＯＦＦする。例えば、電磁弁駆動部を通じて電磁弁２ｄに印加されていた所定の駆動電圧を０［Ｖ］にしてバルブを閉状態となされる。次に、電源部ユニット２Ｂは、ステップＳＴ６で排水用の電磁弁２ｆ＝ＯＦＦする。例えば、電磁弁駆動部を通じて電磁弁２ｆに印加されていた所定の駆動電圧を０［Ｖ］にしてバルブを閉状態となされる。これにより、図１５Ｃに示したように電磁弁ユニット内の全ての電磁弁２ｄ、２ｅ及び２ｆが閉じた状態となされる。
【０１０４】
このように、電磁弁ユニット２Ａによれば、電源部ユニット２Ｂは、電磁弁２ｆが閉じられ、かつ、給湯装置４からの温水Ｉが電磁弁２ｅを通じて噴出されている状態において、給湯装置４からの温水Ｉの供給を停止する命令があったとき、給湯用の電磁弁２ｄを閉じた後に、排水用の電磁弁２ｆを開き、その後、ミストノズル用の電磁弁２ｅを閉じる制御を実行する。
【０１０５】
この制御によって、配管内の残水IIを排水用の電磁弁２ｆを通じてドレンパン１０２ｃへ排水することができ、しかも、排水した分の空気IIIを電磁弁２ｅから引き込むので、電磁弁２ｅからの水ダレがなくなり、配管２ｊ及び２ｋ内での残水を防止できるようになる。
【０１０６】
＜ノズルユニット＞
図１７Ａ〜Ｃは、ノズルユニット２Ｃの構成例を示す図である。図１７Ａは、ノズルユニット２Ｃの正面図、図１７Ｂはノズルユニット２Ｃの下側から見た平面図、図１７Ｃはノズルユニット２Ｃの側面図を各々示している。
【０１０７】
図１７Ａに示すノズルユニット２Ｃは、ミストを噴出するためのノズル２ｍを長手方向の下部に複数個、ここでは図１７Ｂに示すように、３個直列に配置しており、全体として直方体状の可動部２Ｃaと、この可動部２Ｃaの長手方向の両側にそれぞれ配置された固定部２Ｃb1，２Ｃb2とから構成されている。固定部２Ｃb1，２Ｃb2は、浴室１０１の天井に固定され、可動部２Ｃaを回動可能に軸支している。図１７Ｃに示すように、可動部２Ｃaは、回動軸を基準にして左右にスイング可能な構造となされている。
【０１０８】
例えば、固定部２Ｃb1は、図示せずも可動部２Ｃaを回動駆動するための、モータ、減速機構等を備えた駆動機構を備えている。この駆動機構により、可動部２Ｃaを回動させ、ノズル２ｍが所定方向に向くように制御することが可能となっている。但し、可動部２Ｃaを回動駆動するための駆動機構を設けず、手動で任意に方向を切換えられる構造としてもよい。
【０１０９】
固定部２Ｃb2はノズル配管２ｂ（図１３参照）を接続するための接続部２ｎを備えている。この接続部２ｎにノズル配管２ｂから供給される温水Ｉは、図示しない固定部２Ｃb2内の配管及び可動部２Ｃa内の配管を通じて各ノズル２ｍに供給され、ミストとして噴出される。
【０１１０】
＜浴室空調装置＞
図１８及び図１９は、浴室空調装置３の構成例を示す図である。図１８は、浴室空調装置３の内部構成例を示す断面図である。
【０１１１】
図１８に示す浴室空調装置３は、ファン部３２と、熱源としてのヒータ部３３とを備えている。ファン部３２は、本体ケース３４に取り付けられている。ファン部３２は、回転駆動される多翼のファン３５と、このファン３５を回転駆動するモータ３６と、このモータ３６が取り付けられると共に、風路を形成するファンケース３７とを備えている。
【０１１２】
ファン３５は縦向きに配置されている。ファンケース３７のファン３５の軸方向に沿った下面が開口し、吸込口３８とされている。また、ファンケース３７のファン３５の軸方向とは直交する方向に沿った一の側面が開口し、この開口部に風路切換部３９が備えられている。
【０１１３】
風路切換部３９は風路を切換えるダンパ４０を備える。ダンパ４０は後述するダンパモータの駆動力がカム４０ａを介して伝達され、軸４０ｂを支点に回転して開閉動作を行う。ファンケース３７は、風路切換部３９と連通して下面に吹出口４１を備えると共に、風路切換部３９と連通して一の側面に排気口４２を備えている。この場合、ダンパ４０の位置によって、吸込口３８から吹出口４１へ連通した風路、あるいは吸込口３８から排気口４２へ連通した風路が形成される。
【０１１４】
上述の吹出口４１の所定の位置にはヒータ部３３が取り付けられ、排出する空気を加熱するようになされる。ヒータ部３３には、加熱手段を構成する電気ヒータが使用される。吹出口４１から浴室内へ温風を排気することで、ミストの温度低下を防止し、浴室内を暖房するようになされる。
【０１１５】
ファンケース３７は、ヒータ部３３の上流側であって、吸込口３８の所定の位置にはイオン発生器４４を備えている。イオン発生器４４は、ダンパ４０を循環位置あるいは循環換気位置に設定することで形成される循環風路４３ａにイオン放出面を露出するようになされる。イオン発生器４４は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素乃至は水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【０１１６】
これらＨ+（Ｈ2Ｏ）m及びＯ2-（Ｈ2Ｏ）nは、浮遊菌の表面に付着し、化学反応して活性種であるＨ2Ｏ2又は・ＯＨを生成する。Ｈ2Ｏ2又は・ＯＨは、極めて強力な活性を示すため、これらにより、空気中の浮遊細菌を取り囲んで除去することができる。ここで、・ＯＨは活性種の１種であり、ラジカルのＯＨを示している。
【０１１７】
これにより、ファン部３２の運転と連動させて略同数の正イオンと負イオンを発生させ、略同数の正イオンと負イオンを含む空気を送風することで、循環する空気に含まれる浮遊細菌と、図１３に示した浴室１０１の空気中の浮遊細菌の双方を除去して、カビの発生等を抑えることができる。
【０１１８】
図１９は浴室空調装置３の分解例を示す斜視図である。図１９に示す浴室空調装置３は、本体ケース３４からフロントパネル２６が取り外し（分解）可能な構造となされている。この例で、本体ケース３４の吸込口３８に対応した部分に、温度検出センサ６９が取り付けられている。この温度検出センサ６９は、浴室１０１の温度を検出するためのものである。
【０１１９】
図１９において、本体ケース３４は、下面が開口し、吸込口３８と吹出口４１が露出するようにされている。この本体ケース３４の下面開口部に、フロントパネル２６が取り付けられる。フロントパネル２６は、本体ケース３４に着脱可能なように構成されている。
【０１２０】
このフロントパネル２６は、ファン部３２の吸込口３８と対向して吸込グリル４５を備えると共に、ファン部３２の吹出口４１と対向して吹出グリル４６を備える。また、フロントパネル２６の吸込グリル４５の裏側に、図示しないフィルタ４７が交換可能に取り付けられる。本体ケース３４は、ファン部３２の排気口４２と連通する排気ダクト接続部４８を一の側面に備える。この排気ダクト接続部４８に、図１３に示したような排気ダクト８が接続される。
【０１２１】
図２０Ａ〜Ｃは、浴室空調装置３の動作例を示す図である。図２０Ａは、ダンパ４０を全閉にした状態例を示す断面図である。この例では、浴室空調装置３のダンパ４０を全閉にすると、排気口４２への風路が遮断され、吸込口３８から吹出口４１へ連通した循環風路４３ａが形成される。このため、ダンパ４０が全閉となる位置をダンパ４０の循環位置と称する。
【０１２２】
また、図２０Ａに示すように、ダンパ４０の位置を循環位置にし、モータ３６によりファン３５を回転駆動すると、空気が吸込口３８から吸い込まれ、循環風路４３ａを通り吹出口４１から吹き出す。このとき、ヒータ部３３に通電すると、ヒータ部３３が加熱することで吹出口４１を通る空気が温められ、温風が吹出口４１から吹き出す。ここで、ヒータ部３３としては例えばＰＴＣ(Positive Temperature Coefficient)ヒータを使用できる。
【０１２３】
図２０Ｂは、ダンパ４０を全開にした状態例を示す断面図である。図２０Ｂに示す浴室空調装置３によれば、そのダンパ４０を全開にすると、吹出口４１への風路が遮断され、吸込口３８から排気口４２へ連通した換気風路４３ｂが形成される。このため、ダンパ４０が全開となる位置をダンパ４０の換気位置と称する。
【０１２４】
図２０Ｃは、ダンパ４０を循環位置と換気位置の中間位置にした状態例を示す断面図である。図２０Ｃに示す浴室空調装置３によれば、そのダンパ４０を循環位置と換気位置の中間位置にすると、吸気口３８から吹出口４１へ連通した循環風路４３ａと、吸気口３８から排気口４２へ連通した換気風路４３ｂの双方が形成される。この中間位置を循環換気位置と称する。
【０１２５】
続いて、浴室空調装置３の動作例について説明をする。この浴室空調装置３では、例えば、モータ３６が回転駆動されると、ファン部３２のファン３５が回転する。ファン３５が回転すると、フロントパネル２６の吸込グリル４５を介して、ファン部３２の吸込口３８から浴室１０１の空気が吸い込まれる。
【０１２６】
ダンパ４０の位置が図２０Ａに示す循環位置にあると、ファン部３２において吸込口３８から吹出口４１への循環風路４３ａが形成されるので、吸込口３８から吸い込まれた空気は、循環風路４３ａを通り吹出口４１からフロントパネル２６の吹出グリル４６を介して浴室１０１内に吹き出される。
【０１２７】
ヒータ部３３は循環風路４３ａの吹出口４１に配置されるので、ヒータ部３３が駆動されることで、循環風路４３ａを通る空気は、このヒータ部３３で温められて吹出グリル４６から吹き出す。これにより、ダンパ４０を循環位置として、モータ３６が回転駆動されると、ヒータ部３３を駆動した場合は、浴室１０１内の空気を循環させながら、浴室１０１内に温風を吹き出させることができる。
【０１２８】
ダンパ４０の位置が図２０Ｂに示す換気位置にあると、ファン部３２において吸込口３８から排気口４２への換気風路４３ｂが形成されるので、吸込口３８から吸い込まれた空気は、換気風路４３ｂ及び排気口４２を通り、さらに、図１３に示した排気ダクト８を通って排気グリル８ａから屋外へ排気される。これにより、ダンパ４０を換気位置として、モータ３６が回転駆動されると、浴室１０１内の湯気や湿気が排気される。
【０１２９】
ダンパ４０の位置が図２０Ｃに示す循環換気位置にあると、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１３に示した排気ダクト８を通って排気グリル８ａから屋外へ排気される。
【０１３０】
これにより、ダンパ４０を循環換気位置として、モータ３６が回転駆動されると、ヒータ部３３が非駆動の場合は、浴室１０１内の空気を循環させながら、浴室１０１内の湯気や湿気が排気される。また、ヒータ部３３を駆動した場合は、浴室１０１内の空気を循環させてこの浴室１０１内に温風を吹き出しながら、浴室１０１内の湯気や湿気が排気される。
【０１３１】
＜ヒートポンプ式の給湯システム＞
図２１は、ヒートポンプ式の給湯装置４の構成例を示すブロック図である。図２１に示す給湯装置４は、図１３に示したミスト発生装置２、浴室１０１、洗面脱衣所１０２、台所１０３等に温水Ｉを供給するものである。
【０１３２】
給湯装置４は、ヒートポンプユニット５３及び貯湯タンクユニット５４を有して構成される。ヒートポンプユニット５３は、大気と冷媒ガスとの間の熱交換及び冷媒ガスと水との間の熱交換で温水Ｉを生成する。貯湯タンクユニット５４には、ヒートポンプユニット５３で生成された温水Ｉを貯水するようになされる。例えば、貯湯タンクユニット５４は、３００乃至５００リットルの蓄湯容量を有している。
【０１３３】
ヒートポンプユニット５３は、空気熱交換器５５及び水熱交換器５６を有して構成される。空気熱交換器５５は、大気と冷媒ガスとの間で熱交換を行って、冷媒ガスの温度を上昇させるものである。水熱交換器５６は、冷媒ガスと水との間で熱交換を行って、水の温度を上昇させるものである。
【０１３４】
ヒートポンプユニット５３には、ファン５５ａ及び冷媒配管５７が設けられる。ファン５５ａは、空気熱交換器５５に大気を供給するように使用される。冷媒配管５７は、空気熱交換器５５と水熱交換器５６との間に接続され、空気熱交換器５５と水熱交換器５６との間で冷媒ガスを循環するように使用される。
【０１３５】
また、ヒートポンプユニット５３には、ファン５５ａ及び冷媒配管５７の他に圧縮機５８が備えられる。圧縮機５８は、空気熱交換器５５と水熱交換器５６の間であって、空気熱交換器５５の下流側に配置され、空気熱交換器５５で熱交換されて冷媒配管５７を流れる冷媒ガスを圧縮して温度をさらに上昇させるように使用される。
【０１３６】
また、ヒートポンプユニット５３には、空気熱交換器５５と水熱交換器５６の間であって、水熱交換器５６の下流側には膨張弁５９が備えられる。膨張弁５９は、水熱交換器５６で熱交換されて冷媒配管５７を流れる冷媒ガスを膨張させて温度を低下させるように使用される。
【０１３７】
ヒートポンプユニット５３には貯湯タンクユニット５４が接続され、当該ヒートポンプユニット５３で生成された温水Ｉを貯水するタンク６０を備える。タンク６０は、下部側に水が供給されると共に、上部側に温水Ｉが供給されて、下部側に比べて上部側の温度が高くなる段層化した状態で温水Ｉを貯水する。
【０１３８】
ヒートポンプユニット５３と貯湯タンクユニット５４とは、水熱交換器５６とタンク６０の間が温水配管６１ａ及び冷水配管６１ｂで接続されている。例えば、温水配管６１ａは、水熱交換器５６の流出側と、タンク６０の上部側に設けられる流入口６０ａとの間を接続する。また、冷水配管６１ｂは、水熱交換器５６の流入側と、タンク６０の下部側に設けられる流出口６０ｂの間を接続する。
【０１３９】
この冷水配管６１ｂにはポンプ６１ｃが取り付けられている。ポンプ６１ｃは、冷水配管６１ｂを介してタンク６０の流出口６０ｂから水を吸い込んで水熱交換器５６に供給し、水熱交換器５６を通過して生成された温水Ｉを、温水配管６１ａを介して流入口６０ａからタンク６０に供給する。
【０１４０】
また、タンク６０には取水配管６２と給水配管６３とがそれぞれ接続されている。取水配管６２は、タンク６０に貯水された温水Ｉを取水するために使用される。取水配管６２は、高温部取水配管６２ａと中温部取水配管６２ｂを備えている。高温部取水配管６２ａは、流入口６０ａと独立してタンク６０の上部に設けられる高温部取水口６０ｃと接続される。中温部取水配管６２ｂは、高温部取水口６０ｃより下側に設けられる中温部取水口６０ｄに接続される。
【０１４１】
取水配管６２は、高温部取水配管６２ａと中温部取水配管６２ｂの合流箇所に切換弁６２ｃを備え、タンク６０における取水元が、高温部取水口６０ｃか中温部取水口６０ｄに切換えられる。
【０１４２】
給水配管６３は、タンク６０に給水を行うために使用される。給水配管６３は、例えば、流出口６０ｂと独立してタンク６０の下部に設けられる給水口６０ｅと接続されると共に、タンク６０の手前で分岐した分岐給水配管６３ａを備える。
【０１４３】
さらに、貯湯タンクユニット５４は、取水配管６２から供給される温水Ｉと、分岐給水配管６３ａから供給される水を混合させる給湯混合弁６４を備える。給湯混合弁６４は、取水配管６２と分岐給水配管６３ａの合流箇所に備えられ、取水配管６２から供給される温水Ｉと、分岐給水配管６３ａから供給される水の混合比を切換えて、給湯配管６５から供給される温水Ｉの温度を調整する。常温の水を排出することもできる。
【０１４４】
給湯配管６５は、図１３に示した浴室１０１のシャワー１０１ａや浴槽１０１ｂ、洗面脱衣所１０２の蛇口１０２ａ及び図示しない台所１０３の蛇口等と接続され、温水Ｉ又は水を供給する。また、浴室１０１に接続される給湯配管６５には、ミスト給湯配管６５ａが接続される。ここに分岐されたミスト給湯配管６５ａには、ミスト発生装置２が接続される。
【０１４５】
次に、ヒートポンプ式の給湯装置４の動作例について説明する。給湯装置４では、まず、貯湯タンクユニット５４のタンク６０に、給水配管６３から水が供給される。タンク６０に供給された水は、冷水配管６１ｂによりヒートポンプユニット５３の水熱交換器５６に供給される。
【０１４６】
ヒートポンプユニット５３では、ファン５５ａにより空気熱交換器５５に大気が供給され、冷媒配管５７を流れる冷媒ガスとの間で熱交換が行われ、冷媒ガスの温度が上昇する。空気熱交換器５５で熱交換が行われた冷媒ガスは、圧縮機５８で圧縮されることで、温度がさらに上昇する。
【０１４７】
そして、圧縮機５８で圧縮されて温度を上昇させた冷媒ガスは、水熱交換器５６に供給される。これにより、水熱交換器５６においては、大気との熱交換及び圧縮により温度が上昇した冷媒ガスと、貯湯タンクユニット５４から供給された水との間で熱交換が行われ、温水Ｉが生成される。この水熱交換器５６で熱交換された冷媒ガスは、膨張弁５９で膨張されて温度が低下し、再度空気熱交換器５５に供給される。
【０１４８】
また、水熱交換器５６で熱交換されて生成された温水Ｉは、温水配管６１ａによりタンク６０に戻される。これにより、タンク６０は、上部側が温度が高く、下部側が温度の低い二層化した状態で温水Ｉと水が貯水される。タンク６０に貯水された温水Ｉは、取水配管６２により取水される。ここで、切換弁６２ｃにより、供給温水の温度が高い場合は高温部取水配管６２ａから温水Ｉが取られ、供給温水の温度が低い場合は中温部取水配管６２ｂから温水Ｉを取られる。
【０１４９】
取水配管６２により取水された温水Ｉは、分岐給水配管６３ｂから供給される水と給湯混合弁６４で混合される。給湯混合弁６４で温水Ｉと水の混合比を切換えることで、給湯配管６５から供給される温水Ｉの温度が調整される。もちろん、常温の水を給湯配管６５に送出することもできる。給湯配管６５から供給される温水Ｉ又は水は、浴室１０１、洗面脱衣所１０２及び台所１０３に分配される。これにより、給湯配管６５から分岐されたミスト給湯配管６５ａにより温水Ｉ又は水をミスト発生装置２に供給するようになされる。
【０１５０】
＜空調リモコン、ミストリモコン＞
図２２は、ミストリモコン（ミスト操作部）７の操作面の構成例を示す正面図である。
【０１５１】
図２２に示すミストリモコン７は、入浴ミストモードの運転及び運転停止を選択する入浴ミストボタン７ｂを備えている。このボタン７ｂに対応して、その上部には、当該モードの選択時に発光制御されるＬＥＤ(Light Emitting Diode)等の発光素子７ｂ′が設けられている。また、ミストリモコン７には、入浴ミストモードの運転を停止する運転停止ボタン７ｄが備えられている。運転停止ボタン７ｄの上部には、運転停止中を示す発光素子７ｄ′が設けられている。
【０１５２】
図２３は、空調リモコン（主操作部）６の操作面の構成例を示す正面図である。図２３に示す空調リモコン６は、入浴ミストモードの運転及び運転停止を選択する入浴ミストボタン６ｂを有している。入浴ミストボタン６ｂは、上記したミストリモコン７の入浴ミストボタン７ｂに対応したボタンである。このボタン６ｂに対応して、当該モードの選択時に発光制御されるＬＥＤ等の発光素子６ｂ′が設けられている。
【０１５３】
また、空調リモコン６は、衣類乾燥モードの運転及び運転停止を選択する衣類乾燥ボタン６ｄと、涼風モードの運転及び運転停止を選択する涼風ボタン６ｅと、暖房モードの運転及び運転停止を選択する暖房ボタン６ｆと、標準換気モードの運転、浴室乾燥モードの運転及びそれらの運転停止を選択する換気ボタン６ｇとを備えている。これらのボタン６ｄ〜６ｇに対応して、例えば運転時に発光制御されるＬＥＤ等の発光素子６ｄ′，６ｅ′，６ｆ′，６g1′，６g2′が設けられている。
【０１５４】
また、空調リモコン６は、時刻、浴室温度、運転モード等を表示する、ＬＣＤ（液晶表示素子）やセグメントＬＥＤ等で構成される表示素子６ｉと、タイマーの時間設定等を行うためのアップダウンキー６ｊとを備えている。主操作部６で操作され指示される情報は、操作信号Ｓ６となって電源部ユニット２Ｂに出力される。
【０１５５】
＜浴室空調装置及びミスト発生装置の制御系＞
図２４は、浴室空調装置３及びミスト発生装置２の制御系の構成例を示すブロック図である。
【０１５６】
図２４に示す浴室空調装置３は、ＣＰＵ(Central Processing Unit)を有する制御部５Ａを備えている。上述した空調リモコン６は、電気ケーブル６ａを介して、この浴室空調装置３の制御部５Ａに接続されている。この例で、空調リモコン６から制御部５Ａには、電気ケーブル６ａを介して、操作信号Ｓ６が出力される。制御部５Ａには、上述したように、吸込口３８に対応して取り付けられた、浴室１０１内の温度を検出するための温度検出センサ６９が接続される。温度検出センサ６９から制御部５Ａには、温度検出信号Ｓ６９が出力される。
【０１５７】
この制御部５Ａには、上述したように、浴室空調装置３のフロントパネル２６に取り付けられた人体検出センサ６９Ａが接続される。人体検出センサ６９Ａから制御部５Ａには、人体検出信号Ｓ６９ａが出力される。
【０１５８】
また、この制御部５Ａには、浴室照明スイッチ６９Ｂから、このスイッチがオンされたか否かを示す信号Ｓ６９ｂが供給される。この制御部５Ａから、モータ３６、ダンパモータ４０ｃ、ヒータ部３３及びイオン発生器４４に、動作を制御するための制御信号Ｓ３６、Ｓ４０ｃ、Ｓ３３及びＳ４４が供給される。
【０１５９】
図２４に示す電源部ユニット２Ｂは、電源部２Ｂａと、電磁弁駆動部２Ｂｂと、ＣＰＵを有する制御部２Ｂｃとを備えている。電源部２Ｂａは、家庭用交流電源、例えばＡＣ１００Ｖから、電磁弁を駆動するために使用する２４Ｖの直流電圧、ノズルユニット２のモータを駆動するための直流電圧等を生成する。
【０１６０】
電源部２Ｂａには電磁弁駆動部２Ｂｂ及び制御部２Ｂｃが接続され、制御部２Ｂｃによる制御の下、電源部２Ｂａで生成される２４Ｖの直流電圧を用いて、電磁弁ユニット２Ａを構成する電磁弁２ｄ，２ｅ，２ｆを駆動する。この場合、電磁弁２ｄ，２ｅ，２ｆは、それぞれ、ＤＣ２４［Ｖ］の駆動電圧が印加されることでバルブが開状態となされる。駆動電圧＝０［Ｖ］で電磁弁２ｄ，２ｅ，２ｆの各々のバルブが閉状態となされる。
【０１６１】
制御部２Ｂｃには、上述したように、電磁弁ユニット２Ａに取り付けられた温度検出センサ２ｈが接続される。この例で、温度検出センサ２ｈから制御部２Ｂｃには温度検出信号Ｓ２ｈが出力される。上述したミストリモコン７は、電気ケーブル７ａを介して、この電源部ユニット２Ｂの制御部２Ｂｃに接続されている。ミストリモコン７から制御部２Ｂｃには電気ケーブル７ａを介して操作信号Ｓ７ａが出力される。この制御部２Ｂｃは、電磁弁駆動部２Ｂｂの動作を制御し、また電源部２Ｂａで生成される直流電圧を用いて、ノズルユニット２のノズル２ｍの方向を制御する。
【０１６２】
また、浴室空調装置３の制御部５Ａと電源部ユニット２Ｂの制御部２Ｂｃとは互いに接続され、浴室空調装置３とミスト発生装置２との連係動作が可能となされている。例えば、制御部５Ａから制御部２Ｂｃへ通信制御信号Ｓ５ａを出力して、空調リモコン６で指定された内容に基づいてミスト運転を実行する。反対に、制御部２Ｂｃから制御部５Ａへ通信制御信号Ｓ５ａを出力して、ミストリモコン７で指定された内容に基づいて空調運転を実行するようにしてもよい。
【０１６３】
続いて、浴室ユニット１の動作例について説明する。この例で、浴室ユニット１の動作例に関しては、入浴ミストモード、換気標準モード、浴室乾燥モード、暖房モード、涼風モード及び衣類乾燥モードの６つに分けて説明をする。
【０１６４】
＜入浴ミストモードの動作＞
図２５は、この入浴ミストモードの動作例を示すフローチャートである。この例では、ミストリモコン７で、入浴ミストボタン７ｂが押されて入浴ミストオンとされたとき、あるいは空調リモコン６で、入浴ミストボタン６ｂが押されて入浴ミストオンとされたとき、入浴ミストモードとなり、このモードの動作が開始される。なお、入浴ミストオフとなったか、あるいは停止が指示されたときは、ミスト発生装置２に関しては、直ちに排水制御に移行して水抜き処理を行うものである。
【０１６５】
これらを動作条件にして、図２５に示すフローチャートのステップＳＴ２１で入浴ミストオンとされることで、動作が開始される。次に、ステップＳＴ２２で、浴室空調装置３のヒータ部３３が通電され、このヒータ部３３が加熱される。また、浴室空調装置３のモータ３６が通電され、ファン３５が回転する。この場合、ダンパ４０は全閉、つまり循環位置（図２０Ａ参照）とされる。
【０１６６】
この場合、ファン部３２において吸込口３８から吹出口４１への循環風路４３ａが形成されるので、吸込口３８から吸い込まれた空気は、循環風路４３ａを通り、ヒータ部３３で暖められて、吹出口４１からフロントパネル２６の吹出グリル４６を介して浴室１０１内に吹き出される。
【０１６７】
次に、ステップＳＴ２３で、ノズルユニット２Ｃが制御され、ノズル２ｍが浴槽１０１ｂ側に向くように回動される。これにより、人の頭にミストがかからないようにされる。
【０１６８】
次に、ステップＳＴ２４で、排水処理が行われる。この場合、電磁弁ユニット２Ａにおいて、給湯用の電磁弁２ｄ及び排水用の電磁弁２ｆが開かれる（図１４参照）。給湯装置４から給水配管２ａで供給される温水Ｉは、電磁弁２ｄ及び電磁弁２ｆを介して、管路構造＃４を成すドレン配管２ｃに供給される（図１３、図１４参照）。
【０１６９】
次に、ステップＳＴ２５で、電磁弁ユニット２Ａ内に配設された温度検出センサ２ｈの検出出力に基づいて、給水配管２ａを介して電磁弁ユニット２Ａに供給される温水Ｉの温度が所定値以上、例えば３５゜以上となったか否か判定される。温度が所定値以上となった後に、ステップＳＴ２６に進む。
【０１７０】
このステップＳＴ２６では、ミスト発生処理が行われる。このように、電磁弁ユニット２Ａに供給される温水Ｉの温度が所定値以上となった後にミスト発生処理が行われるようにすることで、浴室１０１中に存在する人が、ミストによって肌寒さを感じないようにされる。
【０１７１】
この場合、電磁弁ユニット２Ａにおいて、電磁弁２ｆは閉じられ、ノズルユニット用の電磁弁２ｅが開かれる。このとき、給湯装置４から給水配管２ａで供給される温水Ｉは、電磁弁２ｄ及び電磁弁２ｅを介して、ノズル配管２ｂに供給される（図１３〜図１５Ａ参照）。
【０１７２】
次に、ステップＳＴ２７で、入浴ミストボタン７ｂ又は６ｂが押されて入浴ミストオフとなったか、あるいは運転停止ボタン７ｄが押されて停止が指示されたか否かが判定される。入浴ミストオフとなったか、あるいは停止が指示されたときは、ステップＳＴ２８に進む。このステップＳＴ２８では、浴室空調装置３の動作が停止される。すなわち、浴室空調装置３のヒータ部３３及びモータ３６への通電が止められる。
【０１７３】
そして、ステップＳＴ２９で、排水制御を実行して水抜き処理がなされる。この場合、電磁弁ユニット２Ａにおいて、給湯用の電磁弁２ｄが閉じられ、排水用の電磁弁２ｆが開かれる（図１５Ｂ参照）。これにより、ノズル配管２ｂに残っている温水Ｉは、電磁弁２ｅ及び２ｆを介して、ドレン配管２ｃに排水される。このとき、電磁弁２ｅは開いたままなので、接続管２ｂ′を通じて空気IIIを電磁弁２ｅ、配管２ｊ及び２ｋの内部に取り込むようになる。これにより、接続管２ｂ′、電磁弁２ｅ、配管２ｊ及び２ｋ内の残水（温水）IIを電磁弁２ｆを通じてドレンパン１０１ｃへ排出することができる。（図１３、図１５Ｂ参照）。
【０１７４】
そして、ステップＳＴ２１０で、水抜き処理に必要な所定時間、例えばｔ＝３秒が経過したか否かが判定される。所定時間が経過したときは、ステップＳＴ２１１に進む。このステップＳＴ２１１では、停止処理が行われる。この場合、電磁弁ユニット２Ａにおいて、電磁弁２ｅ及び電磁弁２ｆが閉じられる（図１５Ｃ参照）。なおこのとき、ノズルユニット２Ｃも制御され、ノズル２ｍの向きが元の位置に戻される。この停止処理によって、ステップＳＴ２１２で、入浴ミストモードの一連の動作が終了する。
【０１７５】
なお、ステップＳＴ２３を設けなくてもよい。また、ノズル２ｍを洗い場１０１ｅに向けることでミストが人の体にかかるようにしても良く、さらには、空調リモコン６や、ミストリモコン７に図示しない操作ボタンを設け、ノズル２ｍの方向を選択できるようにしてもよい。
【０１７６】
＜換気標準モードの動作＞
図２６は、換気標準モードの動作例を示すフローチャートである。この例では、空調リモコン６で、換気ボタン６ｇが押されて換気標準オンとされたとき、換気標準モードとなり、このモードの動作が開始される。例えば、図２６に示すフローチャートのステップＳＴ５１では、換気標準オンとされることで、動作が開始される。
【０１７７】
次に、ステップＳＴ５２で、浴室空調装置３のモータ３６に通電され、ファン３５が回転される。この場合、ダンパ４０を全開、つまり換気位置（図２０Ｂ参照）とされる。
【０１７８】
この場合、ファン部３２において吸込口３８から排気口４２への換気風路４３ｂが形成されるので、吸込口３８から吸い込まれた空気は、換気風路４３ｂ及び排気口４２を通り、さらに、図１３に示した排気ダクト８を通って排気グリル８ａから屋外へ排気される（換気運転）。これにより、浴室１０１内の湯気や湿気が排気される。
【０１７９】
次に、ステップＳＴ５３で、タイマー設定時間が経過したか否かが判定される。このタイマー設定時間は、例えば空調リモコン６のアップダウンキー６ｊによりユーザが任意に設定できる。設定時間が経過したときは、ステップＳＴ５４で、浴室空調装置３のファン換気運転の動作が停止され、その後に、ステップＳＴ５５で、換気標準モードの一連の動作が終了する。
【０１８０】
＜浴室乾燥モードの動作＞
図２７は、浴室乾燥モードの動作例を示すフローチャートである。この例では、空調リモコン６で、換気ボタン６ｇが押されて浴室乾燥オンとされるとき、浴室乾燥モードとなり、このモードの動作が開始される。例えば、図２７に示すフローチャートのステップＳＴ８１では、浴室乾燥オンとされることで、動作が開始される。
【０１８１】
次に、ステップＳＴ８２で、浴室空調装置３のモータ３６に通電され、ファン３５が回転される。この場合、ダンパ４０は、循環位置と換気位置の中間位置、つまり循環換気位置（図２０Ｃ参照）とされる。
【０１８２】
この場合、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１３に示した排気ダクト８を通って排気グリル８ａから屋外へ排気される（循環換気運転）。これにより、浴室１０１内の空気を循環させながら、浴室１０１内の湯気や湿気が排気される。
【０１８３】
また、このステップＳＴ８２で、イオン発生器４４から前述の正イオンと負イオンが発生される。このように、循環換気運転が行われている状態で、浴室１０１内に正イオンと負イオンが放出されるので、浴室１０１の内壁、床面のカビの発生を抑制できる。
【０１８４】
次に、ステップＳＴ８３で、タイマー設定時間が経過したか否かが判定される。このタイマー設定時間は、例えば空調リモコン６のアップダウンキー６ｊによりユーザが任意に設定できる。設定時間が経過したときは、ステップＳＴ８４で、浴室空調装置３の循環換気運転、イオン発生の動作が停止され、その後に、ステップＳＴ８５で、浴室乾燥モードの一連の動作が終了する。
【０１８５】
＜暖房モードの動作＞
図２８は、暖房モードの動作例を示すフローチャートである。この例では、空調リモコン６で、暖房ボタン６ｆが押されて暖房オンとされるとき、暖房モードとなり、このモードの動作が開始される。例えば、図２８に示すフローチャートのステップＳＴ９１では、暖房オンとされることで、動作が開始される。
【０１８６】
次に、ステップＳＴ９２で、浴室空調装置３のヒータ部３３に通電され、このヒータ部３３が加熱される。また、浴室空調装置３のモータ３６に通電され、ファン３５が回転される。この場合、ダンパ４０は全閉、つまり循環位置（図２０Ａ参照）とされる。
【０１８７】
この場合、ファン部３２において吸込口３８から吹出口４１への循環風路４３ａが形成されるので、吸込口３８から吸い込まれた空気は、循環風路４３ａを通り、ヒータ部３３で暖められて、吹出口４１からフロントパネル２６の吹出グリル４６を介して浴室１０１内に吹き出される（循環運転）。これにより、浴室１０１内が暖められる。
【０１８８】
次に、ステップＳＴ９３で、タイマー設定時間が経過したか否かが判定される。このタイマー設定時間は、例えば空調リモコン６のアップダウンキー６ｊによりユーザが任意に設定できる。設定時間が経過したときは、ステップＳＴ９４で、浴室空調装置３の動作が停止される。すなわち、浴室空調装置３のヒータ部３３及びモータ３６への通電が止められる。その後に、ステップＳＴ９５で、暖房モードの一連の動作が終了する。
【０１８９】
＜涼風モードの動作＞
図２９は、涼風モードの動作例を示すフローチャートである。この例では、空調リモコン６で、涼風ボタン６ｅが押されて涼風オンとされるとき、涼風モードとなり、このモードの動作が開始される。例えば、図２９に示すフローチャートのステップＳＴ１１１では、涼風オンとされることで、動作が開始される。
【０１９０】
次に、ステップＳＴ１１２で、浴室空調装置３のモータ３６に通電され、ファン３５が回転される。この場合、ダンパ４０は、循環位置と換気位置の中間位置、つまり循環換気位置（図２０Ｃ参照）とされる。
【０１９１】
この場合、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１３に示した排気ダクト８を通って排気グリル８ａから屋外へ排気される（循環換気運転）。これにより、浴室１０１内の空気を循環させながら、浴室１０１内の湯気や湿気が排気される。
【０１９２】
次に、ステップＳＴ１１３で、タイマー設定時間が経過したか否かが判定される。このタイマー設定時間は、例えば空調リモコン６のアップダウンキー６ｊによりユーザが任意に設定できる。設定時間が経過したときは、ステップＳＴ１１４で、浴室空調装置３の循環換気運転の動作が停止され、その後に、ステップＳＴ１１５で、涼風モードの一連の動作が終了する。
【０１９３】
＜衣類乾燥モードの動作＞
図３０は、衣類乾燥モードの動作例を示すフローチャートである。この例では、空調リモコン６で、衣類乾燥ボタン６ｄが押されて衣類乾燥オンとされるとき、衣類乾燥モードとなり、このモードの動作が開始される。例えば、図３０に示すフローチャートのステップＳＴ１３１では、衣類乾燥オンとされることで、動作が開始される。
【０１９４】
次に、ステップＳＴ１３２で、浴室空調装置３のヒータ部３３に通電され、このヒータ部３３が加熱される。また、浴室空調装置３のモータ３６に通電され、ファン３５が回転される。この場合、ダンパ４０は、循環位置と換気位置の中間位置、つまり循環換気位置（図２０Ｃ参照）とされる。
【０１９５】
この場合、ファン部３２において吸込口３８から吹出口４１への循環風路４３ａ及び吸込口３８から排気口４２への換気風路４３ｂの双方が形成される。吸込口３８から吸い込まれた空気は、一部は循環風路４３ａを通り、ヒータ部３３で暖められて、吹出口４１からフロントパネル２６の吹出グリル４６を介して浴室１０１内に吹き出され、その他は換気風路４３ｂ及び排気口４２を通り、さらに、図１３に示した排気ダクト８を通って排気グリル８ａから屋外へ排気される（循環換気運転）。これにより、浴室１０１内の空気を循環させながら、浴室１０１内の湿気が排気され、衣類の乾燥が行われる。
【０１９６】
次に、ステップＳＴ１３３で、タイマー設定時間が経過したか否かが判定される。このタイマー設定時間は、例えば空調リモコン６のアップダウンキー６ｊによりユーザが任意に設定できる。設定時間が経過したときは、ステップＳＴ１３４で、浴室空調装置３の循環換気運転の動作が停止され、その後に、ステップＳＴ１３５で、衣類乾燥モードの一連の動作が終了する。
【０１９７】
このように、第１の実施例としての浴室システム１によれば、本発明に係る第４の実施形態としての管路構造＃４や第１の給湯システムが応用され、水又は温水を取り扱う浴室１０１の角部１０１ｈに沿ってドレン配管２ｃが設けられる。このドレン配管２ｃは、断面扇形状のパイプカバーユニット４０１により被覆されて、排水を流すようになされる。
【０１９８】
従って、水又は温水を取り扱う浴室内における、引き下げ用のドレン配管２ｃをその角部１０１ｈで隠蔽できるので、当該浴室内の美的外観を維持できるようになる。これにより、水又は温水を取り扱う浴室１０１の外側に配管スペースが無い場合であっても、給湯配管２ａやドレン配管２ｃ等を電磁弁ユニット２Ａに接続して構築されるミストサウナルーム（第１の室）等を容易に設置できるようになった。
【０１９９】
第１の実施例では、管路構造に関して第４の実施形態の管路構造＃４を適用する場合について説明したが、これに限られることはなく、第１〜第３の実施形態の管路構造＃１〜＃３を適用しても同様な効果が得られる。
【実施例２】
【０２００】
図３１は、第２の実施例としての浴室システム１′の構成例を示す断面の概念図である。
【０２０１】
図３１に示す組立式の浴室システム１′は第２の給湯システムの一例を構成し、本発明に係る第５の実施形態に係る管路構造＃５が応用される。この浴室システム１′は、組立式の浴室１０１′において、ミスト発生装置２、浴室空調装置３及びヒートポンプ式の給湯装置４を備えて構成されている。なお、第１の実施例と同じ名称及び符号のものは同じ機能を有するためその説明を省略する。
【０２０２】
図３１において、壁面部材１０１ｇ′内には、ドレン配管２ｃが埋設される。このドレン配管２ｃが埋設された壁面部材１０１ｇ′は、他の壁面部材１０１ｇと組み合わせて、浴室１０１′を組立てられる。ドレン配管２ｃは、給湯装置４からの温水が所定の温度に到達するまで、水を排水するもので、当該浴室ユニット１′に組み入れるように使用される。なお、壁面部材１０１ｇ′内に埋設されたドレン配管２ｃの材質は、第１の実施例で説明したドレン配管２ｃと同じものが使用されるので、その説明を省略する。
【０２０３】
また、ドレン配管２ｃには、部品開梱時、図１２Ａに示した排水口部材２３１が取り付けられているが、組立時、図１１Ａに示した室内用の袋ナット２２８を緩めて、管路接続口２２７から袋ナット２２８を取り外す。その後、袋ナット２２８に代えて、排水口部材２３１を取り付ける。排水口部材２３１は、浴室１０１のドレンパン１０１ｃの溝部１０１ｆ上に位置するように調整する。
【０２０４】
また、天井裏面１０１ｉでドレン配管２ｃには、図１２Ｂに示した管路接続部材２３２の一端が取り付けられる。例えば、図１１Ａに示した天井裏用の袋ナット２２６を緩めて、管路接続口２２５から袋ナット２２８を取り外す。次に、袋ナット２２８に代えて、管路接続部材２３２を取り付ける。管路接続部材２３２には袋ナットを両側に有したジョイントが使用される。管路接続部材２３２の他端には電磁弁ユニット２Ａが接続される。これにより、壁面部材１０１ｇ′に埋設されたドレン配管２ｃを使用してミストサウナ装置を組み上げることができる。給湯配管２ａ及び浴室システム１′の動作例については、第１の実施例と同様であるのでその説明を省略する。
【０２０５】
このように、第２の実施例としての浴室システム１′によれば、本発明に係る第５の実施形態としての管路構造＃５や第２の給湯システムが応用され、水又は温水を取り扱う浴室１０１の壁面部材１０１ｇ′に、少なくとも、ドレン配管２ｃを成すリザーブパイプ２００′が埋設され、そのドレン配管２ｃの一端には管路接続口２２５が設けられ、その他端には管路接続口２２７が設けられる。
【０２０６】
従って、管路接続口２２５に電磁弁ユニット２Ａからのドレン配管２ｃを接続して容易にミストサウナルームを構築できるようになった。しかも、水又は温水を取り扱う浴室内の壁面内にドレン配管２ｃが隠蔽されているので、当該浴室内の美的外観を維持できるようになった。また、その浴室１０１の外側に排水管用の配管スペースが無い場合であっても、ドレン配管２ｃを電磁弁ユニット２Ａに接続して構築されるミストサウナルーム（第２の室）等を容易に設置できるようになった。
【産業上の利用可能性】
【０２０７】
本発明は、給湯装置より供給される温水又は水を噴出する浴室ユニット（ユニットバス）に適用して極めて好適である。
【図面の簡単な説明】
【０２０８】
【図１】本発明に係る第１の実施形態としての管路構造＃１の配置例を示す斜視図である。
【図２】パイプカバーユニット２０１の構成例を示す断面図である。
【図３】（Ａ）〜（Ｃ）は、パイプカバーユニット２０１の組立例を示す工程図である。
【図４】第２の実施形態としての管路構造＃２におけるパイプカバーユニット２０１′の構成例を示す断面図である。
【図５】（Ａ）〜（Ｃ）は、パイプカバーユニット２０１′の組立例を示す工程図である。
【図６】第３の実施形態としての管路構造＃３におけるダミーカバー部材３０１，３０２の配置例を示す斜視図である。
【図７】第４の実施形態としての管路構造＃４の配置例を示す斜視図である。
【図８】パイプカバーユニット４０１の構成例を示す断面図である。
【図９】（Ａ）〜（Ｃ）は、パイプカバーユニット４０１の組立例を示す工程図である。
【図１０】第５の実施形態としての管路構造＃５の配置例を示す斜視図である。
【図１１】（Ａ）及び（Ｂ）は、ドレン配管２ｃの取扱例（不使用時）を示す正面図及び断面図である。
【図１２】（Ａ）及び（Ｂ）は、ドレン配管２ｃの取扱例（使用時）を示す正面図及び断面図である。
【図１３】本発明に係る第１の実施例としての浴室システム１′の構成例を示す断面の概念図である。
【図１４】電磁弁ユニット２Ａの構成例を示す正面図である。
【図１５】（Ａ）〜（Ｃ）は、電磁弁ユニット２Ａの動作例を示す線図である。
【図１６】電源部ユニット２Ｂにおける制御例を示すフローチャートである。
【図１７】（Ａ）〜（Ｃ）は、ノズルユニット２Ｃの構成例を示す図である。
【図１８】浴室空調装置３の内部構成例を示す断面図である。
【図１９】浴室空調装置３の分解例を示す斜視図である。
【図２０】（Ａ）〜（Ｃ）は、浴室空調装置３の動作例を示す図である。
【図２１】ヒートポンプ式の給湯装置４の構成例を示すブロック図である。
【図２２】ミストリモコン（ミスト操作部）７の構成例を示す正面図である。
【図２３】空調リモコン（主操作部）６の構成例を示す正面図である。
【図２４】浴室空調装置、ミスト発生装置の制御系の構成例を示すブロック図である。
【図２５】入浴ミストモードの動作例を示すフローチャートである。
【図２６】換気標準モードの動作例を示すフローチャートである。
【図２７】浴室乾燥モードの動作例を示すフローチャートである。
【図２８】暖房モードの動作例を示すフローチャートである。
【図２９】涼風モードの動作例を示すフローチャートである。
【図３０】衣類乾燥モードの動作例を示すフローチャートである。
【図３１】第２の実施例としての浴室システム１′の構成例を示す断面の概念図である。
【符号の説明】
【０２０９】
１・・・浴室システム、２・・・ミスト発生装置、２Ａ・・・電磁弁ユニット（管路切換えユニット）、２Ａ′・・・筐体、２Ｂ・・・電源部ユニット、２Ｃ・・・ノズルユニット、２ａ・・・給水配管、２ｂ・・・ノズル配管、２ｃ・・・ドレン配管、２ａ′〜２ｃ′・・・接続部、２ｄ〜２ｆ・・・電磁弁、２ｈ・・・温度検出センサ、２ｉ〜２ｋ・・・配管、３・・・浴室空調装置、４・・・給湯装置、６・・・主操作部（空調リモコン）、６ａ，７ａ，８０ａ・・・電気ケーブル、７・・・ミスト操作部（ミストリモコン）、７ａ・・・電気ケーブル、８・・・排気ダクト、２６，２６′・・・フロントパネル、６９・・・温度検出センサ、６９Ａ・・・人体検出センサ、６９Ｂ・・・浴室照明スイッチ、１０１・・・浴室、１０１ａ・・・点検口、１０１ｂ・・・浴槽、１０１ｃ・・・ドレンパン、１０１ｆ・・・溝部、１０１ｇ・・・壁面、１０１ｈ・・・角部、１０１ｉ・・・天井裏面、１０１′・・・組立式の浴室ユニット、２０１，２０１′，４０１・・・パイプカバーユニット、２０２・・・管路切換えユニット、＃１〜＃５・・・管路構造
【図１】
2007132579.tif 000003
【図２】
2007132579.tif 000004
【図３】
2007132579.tif 000005
【図４】
2007132579.tif 000006
【図５】
2007132579.tif 000007
【図６】
2007132579.tif 000008
【図７】
2007132579.tif 000009
【図８】
2007132579.tif 000010
【図９】
2007132579.tif 000011
【図１０】
2007132579.tif 000012
【図１１】
2007132579.tif 000013
【図１２】
2007132579.tif 000014
【図１３】
2007132579.tif 000015
【図１４】
2007132579.tif 000016
【図１５】
2007132579.tif 000017
【図１６】
2007132579.tif 000018
【図１７】
2007132579.tif 000019
【図１８】
2007132579.tif 000020
【図１９】
2007132579.tif 000021
【図２０】
2007132579.tif 000022
【図２１】
2007132579.tif 000023
【図２２】
2007132579.tif 000024
【図２３】
2007132579.tif 000025
【図２４】
2007132579.tif 000026
【図２５】
2007132579.tif 000027
【図２６】
2007132579.tif 000028
【図２７】
2007132579.tif 000029
【図２８】
2007132579.tif 000030
【図２９】
2007132579.tif 000031
【図３０】
2007132579.tif 000032
【図３１】
2007132579.tif 000033